(57)【要約】【課題】小型化できる包装具及び包装箱を提供する。【解決手段】  包装具１は、段ボール板紙によって形成された板状部材２と可撓性の薄膜部材３とを備える。包装具１は、段ボール製の板状部材２と、薄膜部材３とを備える。板状部材２は、包装対象物Ａが載置される載置部２１と載置部２１に隣接する起立部２２とを有する。起立部２２の起立基部２２１は、第１の谷折線ａにより載置部２１の上方に折り曲げられる。起立部２２の連結部２２２は、第１の山折線ｄにより起立基部２２１の裏面側に折り曲げられる。起立部２２の押圧部２２３は、第２の谷折線ｅにより連結部２２２の表面側に折り曲げられる。押圧部２２３は、包装対象物Ａを支持した薄膜部材３の内面を載置部２１の裏面方向に押圧する。【選択図】図１
2020033063.tif 000002
【特許請求の範囲】
【請求項１】
包装対象物が載置される段ボール製の板状部材と、該板状部材が挿入され該板状部材に載置された該包装対象物を覆って支持する筒状の薄膜部材とを備える包装具であって、
前記板状部材は、前記薄膜部材の軸線方向に沿って該板状部材の対向する縁部を結ぶ第１の谷折線によって、包装対象物が載置される載置部と該載置部に隣接する起立部とに区画され、
前記起立部は、
前記第１の谷折線を介して載置部に連接され、該第１の谷折線により載置部の上方に折り曲げられる起立基部と、
該起立基部の先端縁に前記第１の谷折線に沿って延びる第１の山折線を介して連接され、該第１の山折線により該起立基部の裏面側に折り曲げられる連結部と、
該連結部の先端縁に前記第１の山折線に沿って延びる第２の谷折線を介して連接され、該第２の谷折線により該連結部の表面側に折り曲げられ前記包装対象物を支持した薄膜部材の内面を前記載置部の裏面方向に押圧する押圧部とを有することを特徴とする包装具。
【請求項２】
請求項１記載の包装具において、
前記連結部は、該連結部の先端縁から前記押圧部の連接方向に沿って延設される突起部を有することを特徴とする包装具。
【請求項３】
請求項２記載の包装具において、
前記突起部２２４の基端から先端までの長さは、前記押圧部２２３の基端から先端までの長さよりも小であることを特徴とする包装具。
【請求項４】
請求項２または３に記載の包装具において、
前記突起部は、第１の折目線を介して前記連結部に連接され、
前記載置部には、前記載置部の裏面に前記突起部が重ねられた領域から所定の距離を存して延びる第３の山折り線と該突起部が重ねられた領域を通って該第３の山折線の両端部を繋ぐ切込みとからなり、前記載置部の裏面とともに該突起部を挟持するロック部が設けられていることを特徴とする包装具。
【請求項５】
請求項１乃至４のいずれか一項記載の包装具において、
前記載置部及び前記起立基部に亘る端縁には、第１の谷折線に交わる方向に延びる第２の折目線を介してフラップが連接されていることを特徴とする包装具。
【請求項６】
請求項１乃至５のいずれか一項記載の包装具を内部に収納することを特徴とする包装箱。
【請求項７】
請求項５記載の包装具を内部に収納する包装箱であって、
該包装箱の一辺の内寸法は、前記載置部の前記第１の谷折線に沿う方向の長さよりも大、かつ、該載置部の長さに、前記フラップの基端から先端までの長さを加重した長さよりも小であることを特徴とする包装箱。
【発明の詳細な説明】
【技術分野】
【０００１】
本発明は、包装対象物を包装する包装具、及び、該包装具を収納する包装箱に関する。
【背景技術】
【０００２】
ネットショッピングなどの通信販売の普及により、宅配便を利用して商品を包装箱で搬送することが多用されている。これらの商品の搬送においては、包装箱の内部において、様々な包装対象物を安定した状態で支持できる包装具が求められている。
【０００３】
この種の包装具として、従来、矩形状の板状部材と、該板状部材を長手方向に沿って挿入する筒状の可撓性のフィルム部材とを有するものが知られている（特許文献１参照）。
【０００４】
この包装具において、板状部材は、包装対象物が載置される載置部と、前記長手方向に沿って延びる第１の谷折線を介して載置部の上端縁に連接される折曲部と、該板状部材の短手方向に沿って延びる一対の第２の谷折線を介して載置部の左右端縁にそれぞれ連接される起立部とを有する。
【０００５】
かかる包装具では、まず、第１の谷折線により折曲部を載置部の上方に屈曲させると、折り曲げられた折曲部の長さ（短手方向の幅）の分だけ、載置部とフィルム部材との間に隙間が増えるため、その隙間から包装対象物を挿入して載置部に載置することができる。
【０００６】
次いで、第２の谷折線で各起立部を上方に折り曲げると、先に折り曲げられていた第１の谷折線は、折り曲げられていない元の状態に復元される。このとき、載置部の下縁と折曲部の上縁とは、相対的に離間することになるため、フィルム部材は、該載置部の下縁と該折曲部の上縁とによって、内面側から短手方向に引っ張られて緊張し、包装対象物を載置部に押し付けて支持する。
【先行技術文献】
【特許文献】
【０００７】
【特許文献１】特許第６２１６９６３号
【発明の概要】
【発明が解決しようとする課題】
【０００８】
しかしながら、この包装具では、折曲部の長さに応じて載置部とフィルム部材との間に隙間が生じるため、例えば高さのある包装対象物を包装する際には、折曲部を長くする必要がある。その場合、板状部材全体の短手方向の幅が長くなってしまうことから、結果的にこの包装具を収納する包装箱も大型化させなければならないという不都合があった。
【０００９】
上記の点に鑑み、本発明は、包装具及び該包装具を収納する包装箱の小型化を目的とする。
【課題を解決するための手段】
【００１０】
かかる目的を達成するために、包装対象物が載置される段ボール製の板状部材と、該板状部材が挿入され該板状部材に載置された該包装対象物を覆って支持する筒状の薄膜部材とを備える包装具であって、前記板状部材は、前記薄膜部材の軸線方向に沿って該板状部材の対向する縁部を結ぶ第１の谷折線によって、包装対象物が載置される載置部と該載置部に隣接する起立部とに区画され、前記起立部は、前記第１の谷折線を介して載置部に連接され、該第１の谷折線により載置部の上方に折り曲げられる起立基部と、該起立基部の先端縁に前記第１の谷折線に沿って延びる第１の山折線を介して連接され、該第１の山折線により該起立基部の裏面側に折り曲げられる連結部と、該連結部の先端縁に前記第１の山折線に沿って延びる第２の谷折線を介して連接され、該第２の谷折線により該連結部の表面側に折り曲げられ前記包装対象物を支持した薄膜部材の内面を前記載置部の裏面方向に押圧する押圧部とを有することを特徴とする。
【００１１】
本発明の包装具では、筒状の薄膜部材に対して板状部材が挿入されており、該板状部材は、起立部を該第１の谷折線により該載置部の上方に折り曲げることができる。これにより、本発明の包装具では、起立部の基端から先端までの長さの分だけ、載置部と薄膜部材との間に隙間が増えるので、その隙間から包装対象物を挿入して載置部に載置することができる。
【００１２】
また、この起立部は、載置部から前記第１の谷折線を介して起立基部、第１の山折線を介して連結部、第２の谷折線を介して押圧部、の順で連接されているため、山折り谷折りと交互に折り曲げることができる。
【００１３】
そして、先端に設けられた押圧部は、段ボールの復元力により前記包装対象物を支持した薄膜部材の内面を前記載置部の裏面方向に押圧するため、包装対象物をさらに載置部に押し付けて確実に支持する。また、このとき起立部は山折り谷折りと交互に折り曲げられているため、載置部に対して平行になるまで伸展しているときより短くなる。
【００１４】
よって、本発明の包装具によれば、包装具を小型化することができる。
【００１５】
また、本発明において、前記連結部は、該連結部の先端縁から前記押圧部の連接方向に沿って延設される突起部を有することが好ましい。
【００１６】
これによれば、突起部は、連結部の先端縁から前記押圧部の連接方向に沿って延設されているため、連結部自体を下方に押し込むより、回転軸となる該第１の山折線から離間している突起部を下方に押し込む方が、より小さな力で連結部を起立基部の裏面側に折り曲げることができる。
【００１７】
また、突起部を有する包装具において、前記突起部の基端から先端までの長さは、前記押圧部の基端から先端までの長さよりも小であることが好ましい。
【００１８】
これによれば、起立部が該第１の谷折線により該載置部の上方に折り曲げられ、押圧部の先端縁が薄膜部材によってけん引されている状態において、突起部を下方に押し込むと、押圧部を薄膜部材によって谷折りしながら、連結部のみを起立基部の裏面側に折り曲げることができる。
【００１９】
また、突起部を有する包装具において、前記載置部には、前記載置部の裏面に前記突起部が重ねられた領域から所定の距離を存して延びる第３の山折り線と該突起部が重ねられた領域を通って該第３の山折線の両端部を繋ぐ切込みとからなり、前記載置部の裏面とともに該突起部を挟持するロック部が設けられていることが好ましい。
【００２０】
この構成を有する包装具によれば、ロック部により突起部を挟持できるため、起立部を折り曲げた状態で保持することができる。
【００２１】
また、本発明の包装具において、前記載置部及び前記起立基部に亘る端縁には、第１の谷折線に交わる方向に延びる第２の折目線を介してフラップが連接されていることが好ましい。
【００２２】
この構成を備える包装具によれば、第２の折目線でフラップを折り曲げることで、第２の折目線に交わる方向に延びる第１の谷折線は、折り曲げられていないもとの状態に復元される。これにより、起立基部は載置部に対して平行に伸展され、該起立基部の先端縁によって薄膜部材の内面を押圧できるため、包装対象物をさらに載置部に押し付けて確実に支持することができる。
【００２３】
本発明の包装箱は、上記包装具を内部に収納することを特徴とする。
【００２４】
上記包装具は、起立部の基端から先端までの水平方向の長さを短くすることができるため、本発明の包装箱によれば、包装箱自体も小型化することができる。
【００２５】
また、上記フラップを有する包装具を内部に収納する包装箱においては、該包装箱の一辺の内寸法は、前記載置部の前記第１の谷折線に沿う方向の長さよりも大、かつ、該載置部の長さに、前記フラップの基端から先端までの長さを加重した長さよりも小であることが好ましい。
【００２６】
この構成を有する包装箱によれば、フラップを折り曲げた包装具を包装箱の内部に収納するだけで、フラップを折り曲げた状態で保持することができる。
【図面の簡単な説明】
【００２７】
【図１】本発明の包装具の一実施形態を示す斜視図。
【図２】図１の板状部材の展開図。
【図３】図１の包装具の包装工程を示す第１の斜視図。
【図４】図１の包装具の包装工程を示す第２の斜視図。
【図５】図１の包装具の包装工程を示す第３の斜視図。
【図６】図１の包装具の包装工程を示す第４の斜視図。
【図７】図１の包装具の包装工程を示す第５の斜視図。
【図８】図１の包装具の包装状態を示す側面図。
【発明を実施するための形態】
【００２８】
本発明の一実施形態を図面に基づいて説明する。本実施形態の包装具１は、図１に示すように、板状部材２と、可撓性フィルム（薄膜部材）３とを有し、この板状部材２と可撓性フィルム３と間に包装対象物Ａを保持する。
【００２９】
また、本発明の包装箱１０は、この包装具１を外箱４内に収容したものである。
【００３０】
図２に示すように、板状部材２は略方形の板である。板状部材２は、例えば、厚紙、段ボール板紙によって作られる。なお、本明細書では、図２の板状部材２の長手方向を左右方向（横方向）、短手方向を上下方向（縦方向）として説明する。
【００３１】
板状部材２は、横長矩形状の載置部２１と、載置部２１の上端縁に連接された横長矩形状の起立部２２と、載置部２１の左右端縁にそれぞれ連接された一対の縦長矩形状のフラップ２３とを有する。
【００３２】
板状部材２には、載置部２１の上端縁に沿って、左右方向に延びる谷折線ａ（本発明の第１の谷折線に相当する。）が設けられている。この谷折線ａによって、載置部２１と起立部２２とが区画されている。なお、谷折線ａを含み、後述するその他谷折線、山折り線等の各種折目線は、特記がない限り、折り曲げ溝を設けることで形成されている。
【００３３】
また、板状部材２には、載置部２１及び後述する起立基部２２１の左右端縁に沿って、上下方向に延びるフラップ折目線ｂ（本発明の第２の折目線に相当する。）が設けられている。
【００３４】
載置部２１は、包装対象物Ａを載置する部分である。載置部２１には、左右両側に一対のロック部２１１が設けられている。
【００３５】
ロック部２１１は、載置部２１の上下方向中央付近の左右各端縁から中央部に向かって左右方向に延びる山折線ｃ（本発明の第３の山折線に相当する。）と、この山折線ｂの両端を繋ぐ略逆「Ｕ」の字状の切込み２１２とによって形成されている。
【００３６】
起立部２２は、載置部２１の上端縁に連接された起立基部２２１と、起立基部２２１の上端縁に連接された連結部２２２と、連結部２２２の上端縁中央部に連接された押圧部２２３と、連結部２２２の上端縁において押圧部２２３の左右両側に一対の突起部２２４とを有する。また、起立部２２の中央部には、押圧部２２３の基端縁から起立基部２２１の基端縁に向けて延びる縦長略矩形状の開口部２２５が形成されている。
【００３７】
起立基部２２１は、前記谷折線ａを介して載置部２１の上端縁に連接されている。起立基部２２１は、谷折線ａにより載置部２１の上方（表面側）に折り曲げられる。
【００３８】
連結部２２２は、山折線ｄを介して起立基部２２１の上端縁に連接されている。連結部２２２は、山折線ｄにより起立基部２２１の裏面側に折り曲げられる。この山折線ｄは、切れ目線をミシン目状に断続的に設けることで形成されているため、連結部２２２は、山折線ｄにより起立基部２２１の裏面に接するまで折り返すことができる。
【００３９】
押圧部２２３は、谷折線ｅを介して、連結部２２２の上端縁の中央部に連接されている。押圧部２２３は、谷折線ｅにより連結部２２２の表面側に折り曲げられる。
【００４０】
突起部２２４は、折目線ｆを介して、連結部２２２の上端縁に連接されている。突起部２２４は、連結部２２２の上端縁の左右端部に押圧部２２３の挟むように一対設けられている。折目線ｆは、切れ目線をミシン目状に断続的に設けることで形成されているため、突起部２２４は、山折り及び谷折りできるとともに、谷折りしたときには載置部２１の裏面に接するまで折り返すことができる。
【００４１】
前記ロック部２１１の山折線ｃは、載置部２１のうち折り返された突起部２２４と重なる領域を通過しないように、該重なる領域と所定の距離を存して延びる位置に設けられ、前記ロック部２１１の切込み２１２は、折り返された突起部２２４と重なる領域を通る位置に設けられている。
【００４２】
フラップ２３は、フラップ折目線ｂを介して、載置部２１及び後述する起立基部２２１の左右端縁に連接されている。フラップ２３は、フラップ折目線ｂにより載置部の上方（表面側）に折り曲げられる。
【００４３】
各フラップ２３は、基端縁上に両端を有する略倒「Ｕ」の字状の切込み２３１が形成されている。フラップ折目線ｂは、この切込み２３１の各端から上下方向に延設されている。
【００４４】
可撓性フィルム３は、例えば、ポリエチレンテレフタレート、ポリエチレン、ポリプロピレン、ポリカーボネート、及びポリ塩化ビニルなどの合成樹脂フィルムからなる可撓性フィルムによって形成される。また、可撓性フィルム３は、筒状または袋状であり、開口から、板状部材２が長手方向に沿って挿入される。
【００４５】
可撓性フィルム３は、軸線方向において、少なくとも、包装対象物Ａの少なくとも一部を覆う長さに形成される必要があり、本実施形態では押圧部２２３の全部及び突起部２２４の一部が覆われるように形成されている。
【００４６】
可撓性フィルム３の周方向の長さは、板状部材２を収容できるように、板状部材２の短手方向の外周と同程度か、それより若干大きく設計されている。なお、可撓性フィルム３は可撓性を有し伸縮可能であり、また、板状部材２は折目線ｄで折り曲げ可能であるため、板状部材２の短手方向の外周より可撓性フィルム３を若干小さく設計することもできる。すなわち、可撓性フィルム３の周方向の長さは、収容する包装対象物Ａの大きさによって、適宜選択することができる。
【００４７】
なお、本実施形態では、板状部材２は可撓性フィルム３に挿入されているだけであり固定されていないが、本発明はこれに限られるものではなく、包装対象物Ａを挿入しない一方側の板状部材２及び可撓性フィルム３を接着剤・熱溶着で固定することもできる。
【００４８】
次に、図３乃至図７を参照して、包装具１を用いて包装対象物Ａを包装する手順について説明する。
【００４９】
まず、図３及び図４に示すように、板状部材２の起立基部２２１を谷折線ａに沿って谷折りして、起立部２２全体を載置部２１の上方（表面側）に折り曲げる。
【００５０】
これにより、板状部材２の上下方向の幅は、起立部２２の上下方向の幅の分だけ短くなるため、載置部２１と可撓性フィルム３との間には少なくとも起立部２２の上下方向の幅の分の隙間が生じる。そのうえで、図４に示すように、この弛んだ可撓性フィルム３と載置部２１との隙間に包装対象物Ａを挿入する。
【００５１】
次に、図４及び図５に示すように、連結部２２２を山折線ｄにより起立基部２２１の裏面側に折り曲げるために、山折線ｄを回動軸として起立基部２２１を斜め下方向に押し込む。
【００５２】
このとき、押圧部２２３及び突起部２２４の先端縁は可撓性フィルム３に係止されているため、連結部２２２のみを起立基部２２１の裏面側に折り曲げる方向に押し込むと、押圧部２２３及び突起部２２４は姿勢を維持しようとする。そのため、押圧部２２３及び突起部２２４は、図５に示すように、谷折線ｅ及び折目線ｆにより、相対的に連結部２２２の表面側に近づく方向に谷折りされていく。
【００５３】
さらに、図６に示すように、連結部２２２を起立基部２２１の裏面に接するまで山折線ｄにより折り返す。
【００５４】
次に、図６に示すように、折目線ｆにより連結部２２２の表面側に近づく方向に谷折りされている突起部２２４を、図７に示すように、折目線ｆにより反対方向に載置部２１の裏面に接するまで山折りする。
【００５５】
次に、図６に示すように、各ロック部２１１を載置部２１の下方（表面から裏面側）に押し込んで山折線ｃで山折りしていく。
【００５６】
このとき、ロック部２１１の切込み２１２は、折り返された突起部２２４と重なる領域を通る位置に設けられているため、ロック部２１１を下方に押し込んでいくと、ロック部２１１の外縁により突起部２２４も折目線ｆで折り曲げられて下方に押し込まれていく。そして、ロック部２１１の山折線ｃは、載置部２１のうち折り返された突起部２２４と重なる領域を通過しない位置に設けられているため、ロック部２１１の外縁が突起部２２４の裏面を超えると、突起部２２４は段ボールの復元力によって載置部２１の裏面に接する方向に戻る。
【００５７】
そこで、ロック部２２１の押圧を終了すると、ロック部２２１も段ボールの復元力により元の位置に戻るので、図７に示すように、突起部２２４は、載置部２１の裏面とロック部２２１の表面とで挟持される。
【００５８】
次に、図６及び図７に示すように、フラップ２３を折目線ｂにより載置部２１の上方（表面側）に折り曲げる。これにより、この折目線ｂに対して折目線ａは直交するため、谷折りされた状態から、元の状態に伸展される。
【００５９】
以上で、包装具１を用いた包装対象物Ａの包装が完了する。
【００６０】
以上説明した包装具１によれば、図８に示すように、押圧部２２３が段ボールの復元力により伸展しようとすることで、可撓性フィルム３は、内周面側から下方に引っ張られて緊張し、包装対象物Ａを載置部２１に押し付ける。これによって、包装対象物Ａは所定の位置に固定される。
【００６１】
また、図８に示すように、起立部２２のうち起立基部２２１を除いた部分が載置部２１の裏面側に折り返されるため、起立部２２全体が伸展する従来の包装具よりも短手方向の幅（図８では左右方向）を短くすることができる。
【００６２】
また、図７及び図８に示すように、載置部２１の裏面とロック部２２１の表面とで突起部２２４を挟持できるため、起立部２２を折り曲げた状態で保持することができる。
【００６３】
また、起立部２２には、押圧部２２３の基端縁から起立基部２２１の基端縁に向けて開口部２２５が形成されているため、起立部２２を複数回折り曲げる際に折り重ねられた段ボールを該開口部２２５の内部空間に逃がすことができるため、折り曲げやすい。
【００６４】
また、載置部２１の長手方向の端部にフラップ２３が設けられているため、円柱形の包装対象物を、載置部２１の長手方向に沿って載置した場合にも、可撓性フィルム３の緊張により載置部２１が長手方向に沿って屈曲してしまうことを防止することができる。
【００６５】
また、フラップ２３には、基端に切込み２３１が設けられているため、フラップ２３を折目線ｂにより載置部２１の上方（表面側）に折り曲げたとき、該切れ込み２３１の内側（載置部２１側）の領域は、折り曲げられることなく載置部２１に沿って延出する。これにより、フラップ２３が折り曲げた状態から水平方向に復元しようとすると、フラップ２３の切れ込み２３１によって形成される開口縁は、載置部２１に連接された切れ込み２３１の内側領域の縁部で軽視される。この結果、包装具１では、フラップ２３は折り曲げられた状態で保持される。
【００６６】
また、包装具１では、図８に示すように、裏面が接するように折り返されている起立基部２２１及び連結部２２２を載置部２１の表面に接するように折り戻すだけで、板状部材２の短手方向の長さが小さくなって可撓性フィルム３を弛むため、包装対象物Ａを取り出すことができる。
【００６７】
最後に、図１に示すように、この包装具１を外箱４内に収容し、天部を閉塞することで、包装箱１０の梱包が完成する。
【００６８】
この外箱４の短手方向の内寸法は、載置部２１及び起立基部２２１の短手方向の長さより大、かつ、板状部材２全体の短手方向の長さより小である。
【００６９】
また、外箱４の長手方向の内寸法は、載置部２１の長手方向の長さより大、かつ、板状部材２全体の長手方向の長さより小である。
【００７０】
よって、包装箱１０では、従来の包装具１を梱包する外箱よりも水平方向の面積を小さい外箱４を用いることができる。
【００７１】
以下、本発明の包装具１にかかる板状部材２の変形例について説明する。
【００７２】
例えば、本実施形態の谷折線、山折線を含む各所折目線は、折り曲げ溝、切れ目線をミシン目状に断続的に設けたものなど適宜選択可能である。
【００７３】
本実施形態では、載置部２１及び起立基部２２１の左右端縁に連接されたフラップ２３を例示したが、フラップ２３は、載置部２１の左右端縁のみに連接されるものでもよい。また、フラップ２３は、左右端縁のいずれか一方に設けてもよく、省略して設けなくてもよい。
【００７４】
本実施形態では、フラップ２３を折目線ｂで谷折りしたが、折目線ｂで山折りしてもよい。この構成によれば、フラップ２３は、押圧部２２３と共に、下方に延びて、外箱４の底板から載置部２１を離間させることができるため、包装対象物Ａを外部からの衝撃から守ることができる。
【００７５】
本実施形態では、ロック部２１１として略矩形状のものを例示したが、ロック部２１１はこれに限られず、例えば、単に孔溝を設けて突起部２２４の先端を挿入してもよい。また、ロック部２１１は省略してもよい。
【００７６】
本実施例では、押圧部２２３の基端縁から起立基部２２１の基端縁に向けて延びる縦長略矩形状の開口部２２５を例示したが、開口部２２５はこれに限られず、折目線に平行または交差するように設ける、あるいは、折目線に隣接して設ければ足りる。また、開口部２２５は、省略してもよい。
【００７７】
本実施形態では、連結部２２２を起立基部２２１の裏面に接するまで折り返したものを例示したが、連結部２２２はこれに限られず、起立部２２全体を蛇腹状に折り曲げてもよい。
【００７８】
本実施形態では、押圧部２２３を連結部２２２の上端縁の中央部に連接されたが、押圧部２２３は、連結部２２２の上端縁に連接されていれば中央部に限られず、長手方向の長さが連結部２２２を超えていてもよい。
【００７９】
本実施形態では、突起部２２４として、折目線ｆを介して連結部２２２の上端縁に連接されたものを例示したが、折目線ｆは省略することもできる。これによれば、突起部２２４を押し込むことで、山折線ｄをより遠い位置から折り曲げることができるため、より小さな力で連結部２２２を折り曲げることができる。
【００８０】
また、本実施形態では、突起部２２４として、押圧部２２３と同程度の長さ（図２の上下方向）を有するものを例示したが、突起部２２４はこれに限られず、例えば、押圧部２２３よりも短くすることができる。これによれば、谷折りした突起部２２４を逆方向に山折りする際に、可撓性フィルム３が引っかかることを低減することができる。なお、突起部２２４は、一対ではなく一個でもよく、省略してもよい。
【符号の説明】
【００８１】
１      包装具
１０    包装箱
２      板状部材
２１    載置部
２１１  ロック部
２１２  切込み
２２    起立部
２２１  起立基部
２２２  連結部
２２３  押圧部
２２４  突起部
２３    フラップ
３      薄膜部材
ａ      第１の谷折線
ｂ      第２の折目線
ｃ      第３の山折り線
ｄ      第１の山折線
ｅ      第２の谷折線
ｆ      第１の折目線
Ａ      包装対象物
【図１】
2020033063.tif 000003
【図２】
2020033063.tif 000004
【図３】
2020033063.tif 000005
【図４】
2020033063.tif 000006
【図５】
2020033063.tif 000007
【図６】
2020033063.tif 000008
【図７】
2020033063.tif 000009
【図８】
2020033063.tif 000010